【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
上面及び底面を有するストリップを備えたユニット化された試薬ストリップであって、
前記ストリップが、
対向する側面を有し且つ第１及び第２のピペットチップアパーチャをそれぞれ含む第１及び第２のピペットシースを備え、
前記第１及び第２のピペットチップアパーチャの各々が前記ストリップの上面に別個の開口を有し、前記第１及び第２のピペットチップアパーチャが、前記第１及び第２のピペットシースそれぞれへの第１及び第２のピペットチップの挿入のために構成されて、前記第１及び第２のピペットシースの各々が、前記第１及び第２のピペットチップそれぞれの長さを実質的に囲むように構成されており、
前記ストリップが更に、
プロセスチューブと、
前記試薬ストリップを貫通する開口を有し、試薬チューブを受け入れるように構成されたレセプタクルと、
を備える、ユニット化された試薬ストリップ。
【請求項２】
前記第１のピペットシースが、前記第１のピペットシースの側壁を貫通して延びる第１の中子孔を含む、請求項１に記載のユニット化された試薬ストリップ。
【請求項３】
前記第１のピペットシースがアパーチャペアを有し、前記アパーチャペアが、前記第１のピペットシースの側壁を貫通して延びる前記第１の中子孔と第２の中子孔とを含み、前記第１及び第２の中子孔が、対向する側面上に配置され且つ前記第１のピペットシースの長さに沿って前記第１のピペットチップアパーチャから同じ距離に位置決めされる、請求項２に記載のユニット化された試薬ストリップ。
【請求項４】
前記第１及び第２のピペットチップアパーチャが、前記ストリップの上面に沿って隣接した位置に配置される、請求項１に記載のユニット化された試薬ストリップ。
【請求項５】
前記プロセスチューブが前記ストリップと一体であり、前記ストリップが、前記一体型プロセスチューブへの開口を形成するプロセスチューブアパーチャを備える、請求項１に記載のユニット化された試薬ストリップ。
【請求項６】
一体型試薬チューブを更に備え、前記ストリップが、前記一体型試薬チューブ内への開口を形成する試薬チューブアパーチャを備える、請求項１に記載のユニット化された試薬ストリップ。
【請求項７】
前記第１のピペットシースが、複数の中子孔を含む、請求項２に記載のユニット化された試薬ストリップ。
【請求項８】
前記第１のピペットシースが、複数のアパーチャペアを含む、請求項２に記載のユニット化された試薬ストリップ。
【請求項９】
前記第２のピペットシースが、前記第２のピペットシースの側壁を貫通して延びる第１の中子孔を含む、請求項２に記載のユニット化された試薬ストリップ。
【請求項１０】
前記第２のピペットシースが第２のアパーチャペアを含み、前記第２のアパーチャペアが、前記第２のピペットシースの側壁を貫通して延びる第３及び第４の中子孔を含み、前記第１及び第２の中子孔が、対向する側面上に配置され且つ前記第２のピペットシースの長さに沿って前記第２のピペットチップアパーチャから同じ距離に位置決めされる、請求項３に記載のユニット化された試薬ストリップ。
【請求項１１】
前記第１及び第２のピペットシースが、それぞれ、前記第１及び第２のピペットチップアパーチャから延びた異なる長さを有する、請求項１に記載のユニット化された試薬ストリップ。
【請求項１２】
前記第２のピペットシースが中子孔を含まない、請求項２に記載のユニット化された試薬ストリップ。
【請求項１３】
前記第１の中子孔の位置が、前記第１のピペットチップが前記第１のピペットシースに挿入されたときに前記第１のピペットチップが前記第１のピペットシース内で前記第１の中子孔を越えて延びるような前記第１のピペットシースの長さに沿った距離にある、請求項２に記載のユニット化された試薬ストリップ。
【請求項１４】
複数の一体型試薬チューブを備える、請求項６に記載のユニット化された試薬ストリップ。
【請求項１５】
複数の一体型プロセスチューブを備える、請求項５に記載のユニット化された試薬ストリップ。
【請求項１６】
複数の試薬レセプタクルを備え、前記複数のレセプタクルが、複数の試薬チューブを受け入れるように構成される、請求項１に記載のユニット化された試薬ストリップ。
【請求項１７】
前記ストリップと一体の廃棄物チャンバを備え、前記廃棄物チャンバが、該廃棄物チャンバ内への開口を形成する廃棄物アパーチャを含む、請求項１に記載のユニット化された試薬ストリップ。
【請求項１８】
前記一体型試薬チューブが、液体試薬を含む、請求項６に記載のユニット化された試薬ストリップ。
【請求項１９】
前記一体型試薬チューブアパーチャをシールして閉鎖する積層体を更に備える、請求項６に記載のユニット化された試薬ストリップ。
【請求項２０】
ユニット化された試薬ストリップのピペットシース内のピペットチップの存在の有無を検出する方法であって、
請求項３に記載のユニット化された試薬ストリップを準備するステップと、
前記アパーチャペアの第１の中子孔を通して光ビームを供給するステップと、
前記光ビームが前記アパーチャペアの第２の中子孔を通って遮られずに出射するかどうかを検出するステップと
を含み、
前記光ビームが前記第１のピペットシースの第２の中子孔を通って遮られずに出射することが、前記第１のピペットシース内に前記第１のピペットチップが存在しないことを示し、前記光ビームが前記第２の中子孔を通って出射することが遮られることが、前記第１のピペットシース内に前記第１のピペットチップが存在することを示している、方法。
【請求項２１】
ユニット化された試薬ストリップのピペットシース内のピペットチップの長さを決定する方法であって、
ユニット化された試薬ストリップを準備するステップを含み、
前記試薬ストリップが、
上面及び底面を有するストリップを備え、
前記ストリップが、
プロセスチューブと、
前記試薬ストリップを貫通する開口を備え、試薬チューブを受け入れるように構成されたレセプタクルと、
第１及び第２のピペットチップアパーチャを含み、該ピペットチップアパーチャの各々が前記ストリップの上面に別個の開口を有する第１及び第２のピペットシースと、
を備え、
前記第１及び第２のピペットチップアパーチャが、前記第１及び第２のピペットシースそれぞれへの第１及び第２のピペットチップの挿入のために構成され、前記第１及び第２のピペットシースの各々が、前記第１及び第２のピペットチップそれぞれの長さを実質的に囲むように構成されており、前記第１のピペットシース内には上部ピペットシースアパーチャペア及び下部ピペットシースアパーチャペアを有し、前記上部及び下部ピペットシースアパーチャペアが各々、前記第１のピペットシースの側壁を貫通して延びる第１及び第２の中子孔を含み、前記上部及び下部ピペットシースアパーチャペアの第１及び第２の中子孔が、前記第１のピペットシースの対向する側面上に配置され且つ前記第１のピペットシースの長さに沿って前記第１のピペットチップアパーチャから同じ距離に位置決めされており、前記上部ピペットシースアパーチャペアが、前記下部ピペットシースアパーチャペアよりも前記第１のピペットチップアパーチャに近接して配置されており、
前記方法が更に、
前記上部ピペットシースアパーチャペアの第１の中子孔を通して光を供給するステップと、
前記下部ピペットシースアパーチャペアの第１の中子孔を通して光を供給するステップと、
前記光が前記上部ピペットシースアパーチャペアの第２の中子孔を通過するのを遮られるかどうかを検出するステップと、
前記光が前記下部のピペットシースアパーチャペアの第２の中子孔を通過するのを遮られるかどうかを検出するステップと、
を含み、
前記上部ピペットシースアパーチャペアの第２の中子孔を通る前記光が遮られること、及び前記下部ピペットシースアパーチャペアの第２の中子孔を通る前記光の通過は、前記第１のピペットシース内の前記第１のピペットチップが、前記第１のピペットシース内に挿入されたときに前記下部ピペットシースアパーチャペアまで下方に延びていない長さを有することを示している、ことを特徴とする方法。
【請求項２２】
ユニット化された試薬ストリップのピペットシース内のピペットチップの存在の有無を検出する方法であって、
請求項２に記載のユニット化された試薬ストリップを準備するステップと、
前記第１のピペットチップが、前記ピペットシース内で前記第１のピペットチップアパーチャから少なくとも前記第１の中子孔の距離まで延びているかどうかを判定するステップと、
を含む、方法。
【請求項２３】
前記判定するステップが、前記第１のピペットシースの内部の目視検査を含む、請求項２２に記載の方法。
【請求項２４】
前記判定するステップが、
前記第１の中子孔を通して前記第１のピペットシースに入射する光ビームを供給するステップと、
前記第１のピペットシース内で前記第１のピペットチップアパーチャから前記第１の中子孔までの距離まで延びた前記第１のピペットチップの存在の有無を示すものとして前記光ビームの反射又は遮蔽を判定するステップと、
を含む、請求項２２に記載の方法。
【請求項２５】
ユニット化された試薬ストリップのピペットシース内のピペットチップの長さを決定する方法であって、
ユニット化された試薬ストリップを準備するステップを含み、
前記試薬ストリップが、上面及び底面を有するストリップを備え、
該ストリップが、
プロセスチューブと、
前記試薬ストリップを貫通する開口を含み且つ試薬チューブを受け入れるように構成されたレセプタクルと、
を含み、
前記試薬ストリップが更に、
第１及び第２のピペットシースを備え、
前記第１及び第２のピペットシースが、
前記ストリップの上面上に分離した開口を各々が有する第１及び第２のピペットチップアパーチャをそれぞれ含み、前記第１及び第２のピペットチップアパーチャが、前記第１及び第２のピペットシースそれぞれ内への第１及び第２のピペットチップの挿入のために構成され、前記第１及び第２のピペットシースの各々が、前記第１及び第２のピペットシース内に存在するときに前記第１及び第２のピペットチップそれぞれの長さを実質的に囲むように構成されており、前記第１のピペットシース内には、前記第１のピペットシースの側壁を貫通して延びた上部中子孔及び下部中子孔を含み、前記上部中子孔が、前記下部中子孔よりも前記第１のピペットチップアパーチャにより近接して配置されており、
前記方法が更に、
ピペットチップが前記第１のピペットシース内で前記第１のピペットチップアパーチャから前記上部中子孔まで延びているかどうかを判定するステップと、
ピペットチップが前記第１のピペットシース内で前記第１のピペットチップアパーチャから前記下部中子孔まで延びているかどうかを判定するステップと、
を含む、ことを特徴とする方法。
【請求項２６】
前記判定するステップが、前記上部中子孔及び前記下部中子孔を通した前記第１のピペットシースの内部の目視検査を含む、請求項２５に記載の方法。
【請求項２７】
ピペットチップが前記第１のピペットシース内で前記第１のピペットチップアパーチャから前記上部中子孔まで延びているかどうかを判定するステップが、
前記上部中子孔を通して光ビームを供給するステップと、
前記第１のピペットシース内で前記第１のピペットチップアパーチャから前記上部中子孔まで延びたピペットチップの存在の有無を示すものとして前記光ビームの反射又は遮蔽を判定するステップと、
を含む、請求項２５に記載の方法。
【請求項２８】
ピペットチップが前記第１のピペットシース内で前記第１のピペットチップアパーチャから前記下部中子孔まで延びているかどうかを判定するステップが、
前記下部中子孔を通して光ビームを供給するステップと、
前記第１のピペットシース内で前記第１のピペットチップアパーチャから前記下部中子孔まで延びたピペットチップの存在の有無を示すものとして前記光ビームの反射又は遮蔽を判定するステップと、
を含む、請求項２５に記載の方法。
【請求項２９】
前記ユニット化された試薬ストリップが、第２の中子孔を更に備え、前記上部中子孔及び前記第２の中子孔が、前記第１のピペットシースの対向する側面上で、且つ、前記第１のピペットシースの上部から等距離に存在する、請求項２５に記載の方法。
【請求項３０】
ピペットチップが前記第１のピペットシース内で前記第１のピペットチップアパーチャから前記上部中子孔まで延びているかどうかを判定するステップが、
前記上部中子孔を通して光を通過させるステップと、
前記光が前記第２の中子孔を通過したかどうかを判定するステップと、
を含む、請求項２９に記載の方法。